(57)【要約】【課題】環境異常を検出する検出部を備えた感知器において、取付位置が高所である場合などでも、工具無しで簡単に壁面などの構築物に取り付けることができる感知器を提供する。【解決手段】感知器１を構築物２に固定するピン部材１１を構築物２に対して斜めに押し込んで、感知器１を構築物２に固定する構造にした。【選択図】図１
2010108042.tif 000002
【特許請求の範囲】
【請求項１】
環境異常を検出する検出部
を備えた感知器において、
ピン部材を構築物に対して斜めに押し込んで、上記感知器を構築物に固定する構造にしたことを特徴とする感知器。
【請求項２】
請求項１記載の感知器において、
上記構築物に固定される基台と、
この基台に固定される感知器本体とを備え、
上記ピン部材は、上記基台から突出した姿勢と基台に退避した姿勢との間で姿勢変更可能に設けられ、
上記構築物に基台を接触させた状態で構築物の反対側から上記ピン部材の端部を押すことにより、上記ピン部材を構築物に斜めに押し込んで基台を構築物に固定することを特徴とする感知器。
【請求項３】
請求項２記載の感知器において、
上記ピン部材の押し込まれる方向が向き合うように、ピン部材が上記基台に設けられていることを特徴とする感知器。
【請求項４】
請求項２または請求項３に記載の感知器において、
上記基台に、上記ピン部材の端部を押し込むアームレバー機構を備えたことを特徴とする感知器。
【請求項５】
請求項２または請求項３に記載の感知器において、
上記基台に、上記ピン部材の端部を収納する柔軟なキャップカバーを備えたことを特徴とする感知器。
【請求項６】
請求項１記載の感知器において、
上記ピン部材は、感知器に固定され、
上記構築物に対して上記感知器を所定の一方向に押し込んで上記ピン部材を構築物に斜めに押し込むように、ピン部材の突出する方向を概ね平行に設けたことを特徴とする感知器。
【請求項７】
請求項１記載の感知器において、
上記ピン部材は、感知器に固定され、
上記構築物に対して上記感知器を回転させながら押し込んで上記ピン部材を構築物に斜めに押し込むように、感知器の回転方向にピン部材の突出する方向を設けたことを特徴とする感知器。
【発明の詳細な説明】
【技術分野】
【０００１】
本発明は、住宅などの環境において、煙、熱、ガスなどの環境の物理量が所定レベル以上になったことを感知する感知器の改良に関する。
【背景技術】
【０００２】
一般に、住宅などの環境において、環境の物理量が所定レベル以上になったことを感知する感知器は、煙、熱、ガスなどの環境における物理量を検出する検出部を備えている。
このような感知器は、従来、ねじなどの固定部材により壁面など、構築物に固定されていた。
【０００３】
例えば、特許文献１には、取付ねじを用いて正面を下に向けた状態で天井に固定される取付ベースを備えた天井設置用警報器が開示され提案されている。
【特許文献１】特開２００７−１６４２５４号公報  しかしながら、上述の特許文献１に開示されたような天井設置用警報器などの従来の感知器は、壁面に対する感知器の取付にねじを使うので、ドライバーなどの工具が必要になっていた。そのため、作業が煩わしく、取付位置が高所である場合などは、特に作業が困難になるという問題があった。
【発明の開示】
【発明が解決しようとする課題】
【０００４】
本発明は上記事情に鑑みてなされたものであり、取付位置が高所である場合などでも、工具無しで簡単に壁面などの構築物に取り付けることができる感知器を提供することを目的としている。
【課題を解決するための手段】
【０００５】
上記目的を解決するために、請求項１に記載の警報機は、環境異常を検出する検出部を備えた感知器において、ピン部材を構築物に対して斜めに押し込んで、上記感知器を構築物に固定する構造にしたことを特徴とする。
【０００６】
請求項２に記載の警報機は、請求項１記載の感知器において、上記構築物に固定される基台と、この基台に固定される感知器本体とを備え、上記ピン部材は、上記基台から突出した姿勢と基台に退避した姿勢との間で姿勢変更可能に設けられ、上記構築物に基台を接触させた状態で構築物の反対側から上記ピン部材の端部を押すことにより、上記ピン部材を構築物に斜めに押し込んで基台を構築物に固定することを特徴とする。
【０００７】
請求項３に記載の警報機は、請求項２記載の感知器において、上記ピン部材の押し込まれる方向が向き合うように、ピン部材が上記基台に設けられていることを特徴とする。
【０００８】
請求項４に記載の警報機は、請求項２または請求項３に記載の感知器において、上記基台に、上記ピン部材の端部を押し込むアームレバー機構を備えたことを特徴とする。
【０００９】
請求項５に記載の警報機は、請求項２または請求項３に記載の感知器において、上記基台に、上記ピン部材の端部を収納する柔軟なキャップカバーを備えたことを特徴とする。
【００１０】
請求項６に記載の警報機は、請求項１記載の感知器において、上記ピン部材は、感知器に固定され、上記構築物に対して上記感知器を所定の一方向に押し込んで上記ピン部材を構築物に斜めに押し込むように、ピン部材の突出する方向を概ね平行に設けたことを特徴とする。
【００１１】
請求項７に記載の警報機は、請求項１記載の感知器において、
上記ピン部材は、感知器に固定され、上記構築物に対して上記感知器を回転させながら押し込んで上記ピン部材を構築物に斜めに押し込むように、感知器の回転方向にピン部材の突出する方向を設けたことを特徴とする。
【発明の効果】
【００１２】
請求項１に記載の警報機によれば、従来は、ねじで取り付ける構造であったので、ドライバ等の工具が必要であったが、本発明では、ピン部材を押し込んで、上記感知器を構築物に固定する構造にしたので、取付位置が高所である場合などでも、工具無しで簡単に壁面などの構築物に感知器を取り付けることができる。また、特に、ピン部材を感知器の造営材に対して斜めに押し込むので、感知器の重量に対してピン部材が構築物から抜けにくくなる。
【００１３】
請求項２に記載の警報機によれば、構築物に固定される基台と、この基台に固定される感知器本体とを備えているので、基台を構築物に固定したまま、ピン部材を抜かずに感知器本体をメンテナンスすることができる。
【００１４】
請求項３に記載の警報機によれば、ピン部材の押し込まれる方向が向き合うように、ピン部材が基台に設けられるので、ピン部材が一方向に抜けにくくなる。
【００１５】
請求項４に記載の警報機によれば、基台に、ピン部材の端部を押し込むアームレバー機構を備えているので、小さな力で容易にピン部材を押し込むことができる。
【００１６】
請求項５に記載の警報機によれば、基台に、ピン部材の端部を収納する柔軟なキャップカバーを備えているので、キャップカバーを介してピン部材の端部を押し込むことにより、ソフトな感触でピン部材を押し込むことができる。
【００１７】
請求項６に記載の警報機によれば、ピン部材が、感知器に固定されているので、取り付けの際に落としたりすることが無い。また、ピン部材の突出する方向を概ね平行に設けているので、感知器を保持して構築物に対して一方向に押し込むことにより、工具無しで簡単に壁面などの構築物に感知器を取り付けることができる。
請求項７に記載の警報機によれば、ピン部材が、感知器に固定されているので、取り付けの際に落としたりすることが無い。また、構築物に対して感知器を回転させながら押し込んでピン部材を構築物に斜めに押し込むように、感知器の回転方向にピン部材の突出する方向を設けたので、感知器を保持して構築物に対して回転させて押し込むことにより、工具無しで簡単に壁面などの構築物に感知器を取り付けることができる。
【発明を実施するための最良の形態】
【００１８】
以下、添付図面を参照しながら本発明の好ましい実施の一形態について説明する。図１は、本発明の第１の実施形態の感知器１の構成を示す分解斜視図であり、ピン部材１１の先端が中心方向に向くことを示している。また、図２は、図１の感知器１のピン部材１１の構成を示す概略の断面図であり、図３は、図１の感知器１の概略の構成を示す説明図である。また、図４は、図１の感知器１の概略の回路構成を示すブロック図である。
【００１９】
図１〜図４に示すように、本発明の第１の実施形態の感知器１は、住宅などの環境において、環境の物理量としての煙の濃度が所定レベル以上になったことを検出して警報を発生させるものであり、感知器１の中に、駆動源である電池３と、環境異常として煙の濃度の異常を検出する検出部４と、警報を発する報知部５と、制御のためのプリント基板６（図４）とを備え、検出部４により煙の濃度が所定レベル以上になったことを検出し、報知部５から警報を出すように構成されている。
【００２０】
また、この感知器１は、基台１ａと、この基台１ａに固定される感知器本体１ｂとを備え、ピン部材１１が、基台１ａから突出した姿勢と基台１ａに退避した姿勢との間で姿勢変更可能に設けられている。
そして、構築物２（図２）に基台１ａを接触させた状態で構築物２の反対側からピン部材１１の端部を押すことにより、ピン部材１１を構築物２に斜めに押し込んで基台１ａを構築物２に固定するように構成されている。
【００２１】
ここで、基台１ａは、壁面、天井面などの構築物２に固定される部分であり、プラスチックなどにより略円盤状に形成されている。この基台１ａは、本実施形態では、天井等の構造物に取り付けられている。
【００２２】
また、感知器本体１ｂは、各構成部品を収納する容器であり、プラスチックなどにより平面視において略円筒状に形成されている。この感知器本体１ｂは、基台１ａの周縁部と嵌め合わされるとともに、図略の係止部により基台１ａに着脱自在に固定されるように構成されている。
【００２３】
電池３は、本実施形態においては、Ｌｉ電池が採用されている。この電池３は、感知器本体１ｂを基台１ａから取り外して交換可能になっている。
【００２４】
検出部４は、環境異常として煙を検出するセンサーであり、詳しくは図示しないが、発光素子と受光素子とを有している。そして、所定周期で発光素子を駆動して、その発光を煙感知室内に流入して来た煙粒子に当て、煙粒子からの散乱光を受光素子で受光して電気信号に変換させて、煙濃度を検出している。
【００２５】
報知部５は、検出部４で検出した煙濃度が所定レベル以上になったときに音により感知を発生させるための通常の感知器１仕様のスピーカーで構成されている。
【００２６】
プリント基板６は、図４に示すように、感知器１の制御を行う制御部８と、音声信号を生成する音声ＩＣ９と、この音声ＩＣ９で生成された音声信号を増幅するアンプ１０とを実装している。
【００２７】
ここで、制御部８は、ＩＣなどで構成される電子部品で構成され、駆動源である電池３から電力が供給される。
【００２８】
そして制御部８は、検出部４からの信号に基づいて環境異常を検知するとともに、音声ＩＣ９で音声信号を生成させ、この音声ＩＣ９で生成された音声信号をアンプ１０で増幅して報知部５から警報音や音声メッセージを発生させる構成になっている。この報知部５からの警報音や音声メッセージは、一旦、発せられた後は、停止スイッチ１６が操作されるまで発せられる。
【００２９】
このような感知器は、従来は、ねじで取り付ける構造であったので、ドライバ等の工具が必要であったが、感知器１では、ピン部材１１を押し込んで、感知器１を構築物２に固定する構造にしたので、取付位置が高所である場合などでも、工具無しで簡単に壁面などの構築物２に感知器１を取り付けることができる。また、特に、ピン部材１１を感知器１の造営材に対して斜めに押し込むので、感知器１の重量に対してピン部材１１が構築物２から抜けにくくなる。
【００３０】
また、構築物２に固定される基台１ａと、この基台１ａに固定される感知器本体１ｂとを備えているので、基台１ａを構築物２に固定したまま、ピン部材１１を抜かずに感知器本体１ｂをメンテナンスすることができる。
【００３１】
次に、図５を参照して、本発明の第１の実施形態に係る感知器１の第１の変形例について説明する。図５は、第の実施形態の感知器１の第１の変形例の構成を示す分解斜視図であり、隣接した組のピン部材１１同士の先端が互いに向き合うようにしたものを示している。なお、以下の説明では、本発明の第１の実施の形態に係る感知器１と同様の部材には同一の符号を付し、重複する説明を省略するものとする。
【００３２】
図５に示すように、この感知器２１においては、ピン部材１１の押し込まれる方向が向き合うように、ピン部材１１が基台１ａに設けられている。
【００３３】
このような構成によると、ピン部材１１の押し込まれる方向が向き合うように、ピン部材１１が基台１ａに設けられるので、ピン部材１１が一方向に抜けにくくなる。また、ピン部材１１を押し込む方向が単純化されるので、作業がし易くなる。
【００３４】
次に、図６を参照して、本発明の第１の実施形態に係る感知器１の第２の変形例について説明する。図６は、第１の実施形態の感知器１の第２の変形例の構成を示す斜視図である。
【００３５】
図６に示すように、この第２の変形例においては、基台１ａに、ピン部材１１の端部を押し込むアームレバー機構１２が設けられている。
【００３６】
このアームレバー機構１２は、基台１ａに立設されるヒンジ部１２aと、このヒンジ部１２ａの軸１２ｃを中心に回動可能なＬ字状のアームレバー１２ｂとから構成され、アームレバー１２ｂの一端１２ｄを手で回動させることにより、アームレバー１２ｂの他端１２ｅが、ピン部材１１の端部を基台１ａ側に押し込むようになっている。
【００３７】
なお、図示しないが、ピン部材１１の端部にアームレバー１２ｂの他端を受け入れる凹部を設けておけば、押し込んだ後にアームレバー１２ｂがピン部材１１の端部から逸脱することを防止することができる。
【００３８】
このような構成によると、基台１ａに、ピン部材１１の端部を押し込むアームレバー機構１２を備えているので、小さな力で容易にピン部材１１を押し込むことができる。
【００３９】
次に、図７を参照して、本発明の第１の実施形態に係る感知器１の第３の変形例について説明する。図７は、本発明の第１の実施形態に係る感知器１の第３の変形例の構成を示す斜視図である。
【００４０】
図７に示すように、この第３の変形例においては、基台１ａに、ピン部材１１の端部を収納する柔軟なキャップカバー１３が設けられている。
【００４１】
このような構成によると、基台１ａに、ピン部材１１の端部を収納する柔軟なキャップカバー１３を備えているので、キャップカバー１３を介してピン部材１１の端部を押し込むことにより、ソフトな感触でピン部材１１を押し込むことができる。
【００４２】
上述した実施の形態は本発明の好ましい具体例を例示したものに過ぎず、本発明は、上述した実施の形態に限定されない。
【００４３】
例えば、感知器１は、環境異常として煙を検出して警報を発するものに限定されない。電池駆動式のものであれば、住戸環境における煙、熱、ガス、人の侵入などを検出する感知器１にも適用可能である。
【００４４】
また、基台１ａ、感知器本体１ｂの形状、材質も必ずしも図示の形状、材質に限定されず、種々の設計変更が可能である。
【００４５】
また、ピン部材１１を、感知器１に固定するようにしてもよい。例えば図８は、第２の実施形態の感知器２１のピン部材２２の構成を示す分解斜視図であり、平行に突出させたピン部材２２を植設したものを示している。
このように、構築物２に対して感知器２１を所定の一方向に押し込んでピン部材２２を構築物２に斜めに押し込むように、ピン部材２２の突出する方向を概ね平行に設けてもよい。この場合、別のピン２３で抜け止めすることになる。
【００４６】
このような構成によれば、ピン部材３２が、感知器３１に固定されているので、取り付けの際に落としたりすることが無い。また、ピン部材３２の突出する方向を概ね平行に設けているので、感知器３１を保持して構築物２に対して一方向に押し込むことにより、工具無しで簡単に壁面などの構築物２に感知器３１を取り付けることができる。
また、図９は、第３の実施形態の感知器３１の構成を示す分解斜視図であり、ピン部材３２の先端が回転方向に向くように植設したものを示している。
このように、ピン部材３２を、感知器３１に固定するに際して、構築物２に対して感知器３１を回転させながら押し込んでピン部材３２を構築物２に斜めに押し込むように、感知器３１の回転方向にピン部材３２の突出する方向を設けてもよい。この場合も、別のピン３３で抜け止めすることになる。
【００４７】
このような構成によれば、感知器３１を保持して構築物２に対して回転させて押し込むことにより、工具無しで簡単に壁面などの構築物２に感知器３１を取り付けることができる。
その他、警報機１〜３１の形状、材質も必ずしも図示の形状、材質に限定されず、種々の設計変更が可能である。
また、電池３は、Ｌｉ電池に限定されず、種々の電池３が採用可能である。
【００４８】
また、検出部４の構成も煙粒子からの散乱光を受光素子で受光して電気信号に変換させるものに限らず、種々の設計変更が可能である。
【００４９】
さらに、報知部５も、本実施形態のように音声で警報を発生させるものに限らず、光で警報を表示するものでもよいなど、種々の設計変更が可能である。
【００５０】
その他、本発明の特許請求の範囲内で種々の設計変更が可能であることはいうまでもない。
【図面の簡単な説明】
【００５１】
【図１】本発明の第１の実施形態の感知器の構成を示す分解斜視図であり、ピン部材の先端が中心方向に向くことを示している。
【図２】図１の感知器のピン部材の構成を示す概略の断面図である。
【図３】図１の感知器の概略の構成を示す説明図である。
【図４】図１の感知器の概略の回路構成を示すブロック図である。
【図５】第１の実施形態の感知器の第１の変形例の構成を示す分解斜視図であり、隣接した組のピン部材同士の先端が互いに向き合うようにしたものを示している。
【図６】第１の実施形態の感知器の第２の変形例の構成を示す説明図である。
【図７】第１の実施形態の感知器の第３の変形例の構成を示す説明図である
【図８】第２の実施形態の感知器のピン部材の構成を示す分解斜視図であり、平行に突出させたピン部材を植設したものを示している。
【図９】第３の実施形態の感知器の構成を示す分解斜視図であり、ピン部材の先端が回転方向に向くように植設したものを示している。
【符号の説明】
【００５２】
１、２１、３１  感知器
２    構築物
３    検出部
１ａ  基台
１ｂ  感知器本体
１１  ピン部材
１２  アームレバー機構
１３  キャップカバー
【図１】
2010108042.tif 000003
【図２】
2010108042.tif 000004
【図３】
2010108042.tif 000005
【図４】
2010108042.tif 000006
【図５】
2010108042.tif 000007
【図６】
2010108042.tif 000008
【図７】
2010108042.tif 000009
【図８】
2010108042.tif 000010
【図９】
2010108042.tif 000011